(57)【要約】【課題】鉛筆芯と紙製のホルダ部で構成された簡易な筆記具でありながら筆圧に耐えうるホルダ部の剛性と鉛筆芯の保持力とを有し、簡単に製造することのできる簡易筆記具を提供する。【解決手段】紙素材でできたホルダ部１１の幅方向略中央に長手方向に沿って折り曲げ線１１ａを設けて左右の側壁１５を形成するとともに該側壁１５の前端縁から側端縁に渡って斜め方向の折込み線１１ｂを設けて左右に折り込み角部１６を形成し、該ホルダ部１１の幅方向略中央部にペン本体１２を筆記可能な状態に取り付ける。そして左右の折り込み角部１６を折り込み、折り曲げ線１１ａで左右の側壁１５を曲げた状態にしたとき、左右の側壁１５がペン本体を挟持し、折り込み角部１６の前端縁１６ａがホルダ部１１の長手方向に沿った状態になるとともにペン本体１２の上部に当接するようにする。【選択図】図１
2013095099.tif 000002
【特許請求の範囲】
【請求項１】
略短冊形状の紙素材からなり、幅方向略中央に長手方向に沿って折り曲げ線を設けて左右の側壁を形成するとともに該折り曲げ線と長手側端縁との間に短手側の前端縁から長手側の端縁に渡って斜め方向の折り曲げ線を設けて左右に折り込み角部を形成したホルダ部と、該ホルダ部の幅方向略中央部に先端部を筆記可能に突出して取り付けられたペン本体とからなり、
前記左右の折り込み角部を折り込み、折り曲げ線で左右の側壁を折り曲げた状態にあるとき、左右の側壁が前記ペン本体を挟持し、折り込み角部の前端縁が前記ホルダ部の長手方向に沿った状態になるとともに前記ペン本体の上部に当接してこれを筆記可能状態に保持することを特徴とする簡易筆記具。
【請求項２】
前記ホルダ部の短手方向略中央に長手方向に沿って設けられた折り曲げ線が２本であって、その２本の折り曲げ線によってホルダ部中央に長手方向に沿った底壁が形成されてなる請求項１記載の簡易筆記具
【請求項３】
前記ペン本体が鉛筆芯でできたことを特徴とする請求項１または２に記載の簡易筆記具。
【請求項４】
前記ペン本体が鉛筆芯とこれを保持するペンホルダ部とで構成されることを特徴とする請求項１または２に記載の簡易筆記具。
【請求項５】
前記折り込み角部の前端縁からさらに折り返し線を介して折り返し角部を延出させ、折り込み角部を折り込んだあと、さらに折り返し角部を折り返したことを特徴とする請求項１、２、３、４いずれかに記載の簡易筆記具。
【発明の詳細な説明】
【技術分野】
【０００１】
本発明は、マークシート等に使用する紙製の使い捨て簡易筆記具に関する。
【背景技術】
【０００２】
この種の簡易筆記具としては、例えば特許文献１や特許文献２に開示されている提案がある。これらのものは折り曲げ線を設けたシート体でホルダ部を形成し、筆記具として使用するときに前記折り曲げ線でホルダ部を折り曲げることによって筆記可能な形態と剛性とを確保しようとするものである。
【０００３】
また、先に本願発明者は、ホルダ部を折り曲げることによって筆記可能となる筆記具として特許文献３に開示される提案をおこなっている。これは、略短冊形状の薄板材からなり、幅方向略中央に長手方向に沿って折り曲げ線を設けるとともに該折り曲げ線と長手側端縁との間に短手側の一端縁から長手側の端縁に渡って斜め方向の折り曲げ線を設けて折り込み角部を形成したホルダ部と、前記折り込み角部の短手側の端縁に短手方向に沿って配設されたペン本体とを備え、前記折り込み角部を内側に折り込み、折り曲げ線でホルダ部を折り曲げたとき、前記ペン本体の筆記部が筆記可能な状態に突出することを特徴とするものである
【先行技術文献】
【特許文献】
【０００４】
【特許文献１】実開昭６１−１２２８８０号公報
【特許文献２】実開昭６２−１１６８９号公報
【特許文献３】特許第４７５５３１７号公報
【発明の概要】
【発明が解決しようとする課題】
【０００５】
しかしながら、前記従来案のうち特許文献１および２の場合、シート体を単に折り曲げて断面視でコ字形状あるいはＶ字形状にしているだけであるため、ホルダ部の剛性に問題があった。同様に、ペン本体もただ単にホルダ部に固着されているだけであるため、筆圧に耐えうるだけの保持力を確保し辛いという問題もあった。
【０００６】
また、本願発明者が先に出願した特許文献３の場合、ホルダ部前側に折り込み角部を形成し、該折り込み角部を内側に折り込むことによってホルダ部に筆圧に耐えうるだけの剛性を与えることには成功した。しかしながら、これを鉛筆芯と紙製のホルダ部からなる使い捨ての簡易鉛筆に適用した場合、製造工程において前端縁に沿うように鉛筆芯を固着することが難しいという点と、筆圧に耐えうるだけの鉛筆芯の保持力の確保という点に課題が残った。
【０００７】
本発明は、かかる従来簡易筆記具の問題点を解消すべくなされたもので、その目的は、鉛筆芯と紙製のホルダ部で構成された簡易な筆記具でありながら筆圧に耐えうるだけのホルダ部の剛性と鉛筆芯の保持力とを確保するとともに、製造が簡単な簡易筆記具を提供することにある。
【課題を解決するための手段】
【０００８】
かかる目的を達成するために本発明の簡易筆記具は、略短冊形状の紙素材からなり、幅方向略中央に長手方向に沿って折り曲げ線を設けて左右の側壁を形成するとともに該折り曲げ線と長手側端縁との間に短手側の前端縁から長手側の端縁に渡って斜め方向の折り曲げ線を設けて左右に折り込み角部を形成したホルダ部と、該ホルダ部の幅方向略中央部に先端部を筆記可能に突出して取り付けられたペン本体とからなり、前記左右の折り込み角部を折り込み、折り曲げ線で左右の側壁を折り曲げた状態にあるとき、左右の側壁が前記ペン本体を挟持し、折り込み角部の前端縁が前記ホルダ部の長手方向に沿った状態になるとともに前記ペン本体の上部に当接してこれを筆記可能状態に保持することを特徴としている。
【０００９】
こうした構成をとることによって本発明の簡易筆記具は、筆記可能状態にあるときには左右の折り込み角部が内側に折り込まれた形態となっているためにホルダ部の剛性が高く、さらには左右の側壁がペン本体を挟持し、折り込み角部の前端縁がペン本体を上方から支えているのでペン本体を保持する力も高いという利点をもっている。
【００１０】
そして好ましくは、前記したホルダ部の幅方向略中央に長手方向に沿って設けられた折り曲げ線を２本とし、その間に底壁を形成する。
【００１１】
こうした構成をとることによって、折り曲げた状態にしたときに幅方向の厚みが増して握りやすくなり、加えて幅方向の剛性も高まるという利点が生じる。
【００１２】
なお、ペン本体は鉛筆芯でできたものが好ましい。
【００１３】
こうした構成をとることによって製造コストが低くなるという利点がある。
【００１４】
あるいは、ペン本体は鉛筆芯とこれを保持するペンホルダ部とで構成されるものであってもよい。
【００１５】
こうした構成をとると、ペンホルダ部の肉厚あるいは形状を変化させることによってペン本体の径寸法を変えることができ、ホルダ部の幅寸法の設定に自由度が増すという利点が生じる。
【００１６】
なお、折り込み角部の前端縁からさらに折り返し線を介して折り返し角部を延出させ、折り込み角部を折り込んだあと、さらに折り返し角部を折り返してもよい。
【００１７】
こうした構成をとることによって、取り付けられているペン本体がさらにしっかりと保持されるという利点が生じる。
【発明の効果】
【００１８】
本発明にかかる簡易筆記具は、鉛筆芯と紙製のホルダ部とで構成された簡易な筆記具でありながら筆圧に耐えうるだけのホルダ部の剛性と鉛筆芯の保持力とを有し、しかも製造が簡単であるという利点を有する。
【図面の簡単な説明】
【００１９】
【図１】本発明の筆記具の第１実施形態における、（ａ）はホルダ部を展開した状態、（ｂ）は途中経過で折り込み角部を折り込んだ状態、（ｃ）は筆記可能に折り畳まれた最終形態を示す斜視図である。
【図２】同、（ａ）は側面図、（ｂ）は（ａ）におけるＡ―Ａ線断面図である。
【図３】第１実施形態の変形例１を示しており、（ａ）は要部拡大斜視図、（ｂ）は図２（ａ）のＡ―Ａ線に相当する位置での断面図である。
【図４】同、変形例２を示しており、（ａ）は展開した状態を示す平面図、（ｂ）は筆記可能に折り畳まれた最終形態を示す側面図である。
【図５】同、変形例３を示しており、（ａ）は展開した状態を示す平面図、（ｂ）は筆記可能に折り畳まれた最終形態を示す側面図である。
【図６】本発明の筆記具の第２実施形態における、（ａ）は展開した状態を示す平面図、（ｂ）は折り畳み工程のうち第１段階の、折り込み角部を折り込んで折り返し角部を折り返した状態を示す斜視図である。
【図７】同、（ａ）は筆記可能に折り畳まれた最終形態を示す側面図、（ｂ）は（ａ）におけるＢ―Ｂ線断面図、（ｃ）は（ａ）におけるＣ―Ｃ線断面図である。
【図８】第２実施形態の変形例を示しており、図６（ａ）のＣ―Ｃ線に相当する位置での断面図である。
【発明を実施するための形態】
【００２０】
以下、本発明にかかる筆記具の第１実施形態を図１ないし図２に基づき説明するが、これに限定されるものではない。
【００２１】
≪第１実施形態≫
図において、本発明の筆記具１０はホルダ部１１とペン本体１２からなっている。
なお便宜上、ホルダ部１１長手方向のうちペン本体１２が設けられている側を前方あるいは正面とし、左右は正面視で向かって左、向かって右の意であるとして以降の説明をおこなう。
【００２２】
前記筆記具１０のうちホルダ部１１は、硬質紙からなり平面視で矩形状に形成されている。硬質紙は種類を特に限定するものではないが、筆記の際の筆圧等に耐えうる強度などを勘案した場合、厚み０．５ミリ以上が望ましい。
【００２３】
このホルダ部１１には、短手方向略中央に長手方向に沿う平行な２本の折り曲げ線１１ａ・１１ａが設けられており、これによって底壁１４および左右の側壁１５・１５が形成されている。また、短手側前端縁の前記折り曲げ線１１ａ・１１ａよりも外側の位置からそれぞれの長手外側端縁に渡って斜め４５度の角度（前端縁に対して）を有する左右２本の折り込み線１１ｂ・１１ｂが設けられ、これによって左右の折り込み角部１６・１６がそれぞれ形成されている。
【００２４】
ペン本体１２は、一般的な鉛筆芯単体でできている。
【００２５】
このペン本体１２は、底壁１４の略中央部に、先端を底壁１４前端縁から筆記可能な長さ分だけ突出させ長手方向に沿った状態で取り付けられている。取り付け方法は特に問わず、接着剤による固着であってもよく、あるいは粘着テープ等による貼着であってもよい。
【００２６】
こうした構成をもつ本筆記具１０は、次のようにして組み立てられる。
【００２７】
まず、前記したいずれかの取り付け方法によってホルダ部１１の底壁１４中央にペン本体１２を固定する。なお、本願発明は主としてマークシート用の使い捨て簡易筆記具として使用されることを想定しているので、ペン本体１２はすぐに筆記できるようにあらかじめ先端部を尖らせておくことが望ましい。
【００２８】
次に、ホルダ部１１に形成されている左右の折り込み角部１６・１６を折り込み線１１ｂ・１１ｂの位置でそれぞれ内側に折り込み、図１（ｂ）の状態とする。
【００２９】
折り込み線は４５度の角度をもっているため、折り込まれた折り込み角部１６・１６の前端縁１６ａ・１６ａはペン本体１２の両側に反転移動して長手方向に沿った状態となる。
【００３０】
最後に、長手方向に沿って設けられている折り曲げ線１１ａ・１１ａの位置でホルダ部１１を折り曲げ、側壁１５・１５を立ち上げる。
【００３１】
これによって平坦な薄板状のホルダ部１１が正面視で略コ字形状へと変化し、筆圧に耐えうるだけの剛性が確保される。また、ペン本体１２は、側壁１５・１５によって挟持されるとともに上部に当接した折り込み角部１６・１６の前端縁１６ａ・１６ａによってしっかりと保持される。
【００３２】
本願発明は、このホルダ部１１が折り曲げられ筆記可能となった状態で市場に供せられることを想定しているが、その筆記可能状態を維持しておくためにはホルダ部１１の左右の側壁１５・１５の内壁同士を接着固定しておくことが望ましい。さらに、これに加えて折り込み角部１６も側壁１５に接着固定しておいてもよい。
【００３３】
また、筆記可能な状態ではなく、その１段階手前すなわち折り込み角部１６・１６が折り込まれ、側壁１５・１５は展開している状態のままにしておき、使用時に所有者が側壁１５・１５を折り曲げるようにしてもよい。このような状態にしておくことによって、左右側壁１５・１５に広告などの印刷を施しておきノベルティグッズとして配布するときなどに、印刷面が良く見え、折り曲げる際にも印刷面が目に入る、という効果がある。
【００３４】
さらにまた、接着ではなく左右側壁１５・１５にそれぞれ切欠きを設けることによって係止片を形成し、これらを係合することによって折り曲げ状態を維持するものであってもよく、ホチキス留めによるものであってもよい。
【００３５】
なお、ペン本体１２を取り付けるにあたっては、例えば接着剤を用いた場合、この接着剤が完全に固まっていない時に折り込み角部１６・１６を折り込んで側壁１５・１５を折り曲げるようにすれば、生乾き状態のペン本体１２が押しやられて移動するので、精密な位置合わせをおこなう必要なく所定の位置（底壁１４の中央部）に簡単に取り付けをおこなうことができる。
【００３６】
また、先にホルダ部１１を筆記可能な折り畳んだ状態にしておいてから接着剤を塗布したペン本体１２を差し込むようにしてもよい。
【００３７】
本発明によれば、ホルダ部１１を折り畳むことによってペン本体１２が四方を左右側壁１５・１５および折り込み角部前端縁１６ａ・１６ａと底壁１４とで囲い込まれる形態となるので、このように簡単かつ確実なペン本体の取り付け方が可能となっている。これが本発明の大きな利点でもある。
【００３８】
なお、各部位の寸法は適宜であるが、例えば底壁１４の幅方向の長さは、ペン本体１２の径寸法を２ミリとした場合、２ミリにわずかに満たない程度に設定しておくと、ホルダ部１１を握った際に立ち上げた側壁１５・１５がペン本体１２を強く挟み込んで保持力が高まるという利点が生じる。
【００３９】
また、側壁１５・１５の幅方向寸法（折り曲げて立ち上げた際の高さ）は、筆記するときに上縁に人差し指を添えることになることを考えるとあまり大きく取ることは好ましくなく、小さくとると強度が低下するとともに握りにくくなることも鑑みると８ミリから１６ミリ程度が好適といえる。なお、側壁１５・１５に長手方向に沿って溝条あるいは凸条形状のエンボス加工を施してもよい。こうすることで剛性が高まり、幅寸法をあまり大きく取る必要がなくなるという効果がある。
【００４０】
さらに、ホルダ部１１の長手方向寸法は、筆記可能状態のホルダ部１１を握ったときにこのホルダ部１１の後端が人差し指と親指との間で保持されていることが望ましいことなどの作業性を鑑みると、１００ミリ以上あることが好ましいがこれ以下であっても筆記可能な程度の長さがあれば特に問題はない。
【００４１】
図３は、第１実施形態の変形例１を示したもので、（ａ）は要部拡大斜視図、（ｂ）は図２の（ａ）に示すＡ―Ａ線に相当する位置での断面図である。  
ここではペン本体１３は、鉛筆芯１３ａと、これを保持する合成樹脂製のチューブ状ペンホルダ部１３ｂとからなり、鉛筆芯１３ａは後端部がペンホルダ部１３ｂに嵌め込まれて固定されたものとなっている。このような構成にすることによって、底壁１４の幅寸法を広くしたとしてもそれに合わせてペンホルダ部１３ｂの肉厚を増やしたり形状を幅広に変更することで側壁１５・１５に挟持されうるだけの幅寸法を有することが可能となり、よって底壁１４の幅寸法の設定の自由度が増すという利点が生じる。
【００４２】
図４ないし図５は、それぞれ第１実施形態の変形例２および変形例３を示したもので、（ａ）はホルダ部を展開した状態の平面図、（ｂ）は筆記可能な状態の側面図である。
【００４３】
図４での折り込み角部１７は、（ａ）の平面図に示すように前端縁１７ａと側縁１７ｂとのなす角度が鈍角に設定されており、筆記可能状態に折り曲げたときには（ｂ）の側面図に示すように折り込み角部の先端の広がり角を４５度よりも小さくすることができる。
【００４４】
図５での折り込み角部１８は、（ａ）の平面図に示すように前端縁１８ａと側縁１８ｂとのなす角度が鋭角に設定されており、筆記可能状態に折り曲げたときには（ｂ）の側面図に示すように折り込み角部の先端の広がり角を４５度よりも大きくすることができる。
【００４５】
このように本願発明では、折り込み角部の前端縁と側縁とのなす角度を変更することによって筆記具先端部の広がり角度を自由に設定することができる。なお、広がり角度を設定するためには前端縁と側縁とのなす角度を変更する以外にも例えば前端縁を一直線のものとせずに途中で角度を変えた屈曲線としてもよい。
【００４６】
≪第２実施形態≫
図６ないし図７は本発明にかかる筆記具の第２実施形態を示しており、図６の（ａ）はホルダ部を展開した状態を示す平面図、（ｂ）は折り畳み工程のうちの第１段階として折り込み角部が折り畳まれた状態を示す斜視図。図７の（ａ）は筆記可能な状態を示す側面図、（ｂ）は（ａ）におけるＢ―Ｂ線断面図、（ｃ）は（ａ）におけるＣ―Ｃ線断面図を示している。なお、基本構成としては第１実施形態と第２実施形態とは同一であるため同一箇所には同一符号を付して説明を省略し、異なる箇所のみを説明する。
【００４７】
この第２実施形態にかかる筆記具２０では、図６（ａ）に示すようにホルダ部２１の折り込み角部２６・２６からさらに折り返し線２６ａ・２６ａを介して折り返し角部２７・２７が、ホルダ部２１の片方の側壁１５からは第２折り曲げ線２１ａを介して補強壁２８がそれぞれ延設されており、図６（ｂ）に示すように折り畳み工程第１段階で折り込み角部２６・２６を折り込んだ後に折り返し角部２７・２７を外向きに折り返し、図７（ｃ）に示すように左右の折り曲げ線１１ａ・１１ａで側壁１５・１５を折り曲げた後に第２折り曲げ線２１ａで補強壁２８を折り曲げ、対向する側壁１５―すなわち図６（ｃ）における右側壁―の内側に重ねて合わせて接着している。
【００４８】
こうした構成をとることによって、さらにホルダ部の剛性とペン本体１２の保持力とを高めることができる。
【００４９】
なお、ここでは折り返し角部２７・２７の大きさを折り込み角部２６・２６の約半分程度のものとしているが、略同形のものとしてもよく、その場合はホルダ部２１の縦方向の剛性をさらに高めることができる。
【００５０】
図８は、第２実施形態の変形例を示しており、これでは左側壁１５から第１補強壁３０が延設されるとともに、右側壁１５からも天壁２４を介して第２補強壁３１が延設されている。そして、第２補強壁３１と左側壁１５とを重ね合わせて接着し、第１補強壁３０は内側で斜交いになるように折り込んだものとしている。本変形例は、このような斜交いを設けた構成にすることによって底壁１４と天壁２４とを有する筒体形状でありながら筆圧に耐えうる剛性を確保している。また、この変形例では天壁２４が形成されているので筆記時に握りやすいという利点もある。
【００５１】
以上説明したように、本発明によればホルダ部の剛性とペン本体の保持力を高くすることができ、しかも簡単に製造することができる。
【００５２】
なお、ホルダ部は平面視形状を矩形に限定するものではなく、例えば後端部の角を丸めたものであったり側端縁を緩やかな曲線形状とするなどしたものであってもよい。
【符号の説明】
【００５３】
１１、２１    ホルダ部
１２、１３    ペン本体
１４          底壁
１５          側壁
１６          折り込み角部
２７          折り返し角部    
【図１】
2013095099.tif 000003
【図２】
2013095099.tif 000004
【図３】
2013095099.tif 000005
【図４】
2013095099.tif 000006
【図５】
2013095099.tif 000007
【図６】
2013095099.tif 000008
【図７】
2013095099.tif 000009
【図８】
2013095099.tif 000010
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
略短冊形状の紙素材からなり、幅方向略中央に長手方向に沿って折り曲げ線を設けて左右の側壁を形成するとともに、該折り曲げ線と長手側端縁との間に短手側の前端縁から長手側の端縁に斜めに渡ってその角度が前記折り曲げ線と短手側の前端縁とでなす角度の略半分となる折り込み線を設けて左右に折り込み角部を形成したホルダ部と、該ホルダ部の幅方向略中央部に先端部を筆記可能に突出して取り付けられた鉛筆芯を備えるペン本体とからなり、前記左右の折り込み角部を折り込み、折り曲げ線で左右の側壁を折り曲げた状態にあるとき、左右の側壁が前記ペン本体を挟持し、折り込み角部の前端縁が前記ホルダ部の長手方向に沿った状態になるとともに前記ペン本体の上部に当接してこれを筆記可能状態に支持することを特徴とする簡易筆記具。
【請求項２】
前記ホルダ部の短手方向略中央に長手方向に沿って設けられた折り曲げ線が２本であって、その２本の折り曲げ線によってホルダ部中央に長手方向に沿った底壁が形成されてなる請求項１記載の簡易筆記具
【請求項３】
前記ペン本体が鉛筆芯とこれを保持するペンホルダ部とで構成されることを特徴とする請求項１または２に記載の簡易筆記具。
【請求項４】
前記折り込み角部の前端縁からさらに折り返し線を介して折り返し角部を延出させ、折り込み角部を折り込んだあと、さらに折り返し角部を折り返したことを特徴とする請求項１、２、３いずれかに記載の簡易筆記具。
【手続補正２】
【補正対象書類名】明細書
【補正対象項目名】全文
【補正方法】変更
【補正の内容】
【発明の詳細な説明】
【技術分野】
【０００１】
本発明は、マークシート等に使用する紙製の使い捨て簡易筆記具に関する。
【背景技術】
【０００２】
この種の簡易筆記具としては、例えば特許文献１や特許文献２に開示されている提案がある。これらのものは折り曲げ線を設けたシート体でホルダ部を形成し、筆記具として使用するときに前記折り曲げ線でホルダ部を折り曲げることによって筆記可能な形態と剛性とを確保しようとするものである。
【０００３】
また、先に本願発明者は、ホルダ部を折り曲げることによって筆記可能となる筆記具として特許文献３に開示される提案をおこなっている。これは、略短冊形状の薄板材からなり、幅方向略中央に長手方向に沿って折り曲げ線を設けるとともに該折り曲げ線と長手側端縁との間に短手側の一端縁から長手側の端縁に渡って斜め方向の折り曲げ線を設けて折り込み角部を形成したホルダ部と、前記折り込み角部の短手側の端縁に短手方向に沿って配設されたペン本体とを備え、前記折り込み角部を内側に折り込み、折り曲げ線でホルダ部を折り曲げたとき、前記ペン本体の筆記部が筆記可能な状態に突出することを特徴とするものである
【先行技術文献】
【特許文献】
【０００４】
【特許文献１】実開昭６１−１２２８８０号公報
【特許文献２】実開昭６２−１１６８９号公報
【特許文献３】特許第４７５５３１７号公報
【発明の概要】
【発明が解決しようとする課題】
【０００５】
しかしながら、前記従来案のうち特許文献１および２の場合、シート体を単に折り曲げて断面視でコ字形状あるいはＶ字形状にしているだけであるため、ホルダ部の剛性に問題があった。同様に、ペン本体もただ単にホルダ部に固着されているだけであるため、筆圧に耐えうるだけの保持力を確保し辛いという問題もあった。
【０００６】
また、本願発明者が先に出願した特許文献３の場合、ホルダ部前側に折り込み角部を形成し、該折り込み角部を内側に折り込むことによってホルダ部に筆圧に耐えうるだけの剛性を与えることには成功した。しかしながら、これを鉛筆芯と紙製のホルダ部からなる使い捨ての簡易鉛筆に適用した場合、製造工程において前端縁に沿うように鉛筆芯を固着することが難しいという点と、筆圧に耐えうるだけの鉛筆芯の保持力の確保という点に課題が残った。
【０００７】
本発明は、かかる従来簡易筆記具の問題点を解消すべくなされたもので、その目的は、鉛筆芯と紙製のホルダ部で構成された簡易な筆記具でありながら筆圧に耐えうるだけのホルダ部の剛性と鉛筆芯の保持力とを確保するとともに、製造が簡単な簡易筆記具を提供することにある。
【課題を解決するための手段】
【０００８】
かかる目的を達成するために本発明の簡易筆記具は、略短冊形状の紙素材からなり、幅方向略中央に長手方向に沿って折り曲げ線を設けて左右の側壁を形成するとともに、該折り曲げ線と長手側端縁との間に短手側の前端縁から長手側の端縁に斜めに渡ってその角度が前記折り曲げ線と短手側の前端縁とでなす角度の略半分となる折り込み線を設けて左右に折り込み角部を形成したホルダ部と、該ホルダ部の幅方向略中央部に先端部を筆記可能に突出して取り付けられた鉛筆芯を備えるペン本体とからなり、前記左右の折り込み角部を折り込み、折り曲げ線で左右の側壁を折り曲げた状態にあるとき、左右の側壁が前記ペン本体を挟持し、折り込み角部の前端縁が前記ホルダ部の長手方向に沿った状態になるとともに前記ペン本体の上部に当接してこれを筆記可能状態に支持することを特徴としている。
【０００９】
こうした構成をとることによって本発明の簡易筆記具は、筆記可能状態にあるときには左右の折り込み角部が内側に折り込まれた形態となっているためにホルダ部の剛性が高く、さらには左右の側壁がペン本体を挟持し、折り込み角部の前端縁がペン本体を上方から支えているのでペン本体を保持する力も高いという利点をもっている。
【００１０】
そして好ましくは、前記したホルダ部の幅方向略中央に長手方向に沿って設けられた折り曲げ線を２本とし、その間に底壁を形成する。
【００１１】
こうした構成をとることによって、折り曲げた状態にしたときに幅方向の厚みが増して握りやすくなり、加えて幅方向の剛性も高まるという利点が生じる。
【００１２】
あるいは、ペン本体は鉛筆芯とこれを保持するペンホルダ部とで構成されるものであってもよい。
【００１３】
こうした構成をとると、ペンホルダ部の肉厚あるいは形状を変化させることによってペン本体の径寸法を変えることができ、ホルダ部の幅寸法の設定に自由度が増すという利点が生じる。
【００１４】
なお、折り込み角部の前端縁からさらに折り返し線を介して折り返し角部を延出させ、折り込み角部を折り込んだあと、さらに折り返し角部を折り返してもよい。
【００１５】
こうした構成をとることによって、取り付けられているペン本体がさらにしっかりと保持されるという利点が生じる。
【発明の効果】
【００１６】
本発明にかかる簡易筆記具は、鉛筆芯と紙製のホルダ部とで構成された簡易な筆記具でありながら筆圧に耐えうるだけのホルダ部の剛性と鉛筆芯の保持力とを有し、しかも製造が簡単であるという利点を有する。
【図面の簡単な説明】
【００１７】
【図１】本発明の筆記具の第１実施形態における、（ａ）はホルダ部を展開した状態、（ｂ）は途中経過で折り込み角部を折り込んだ状態、（ｃ）は筆記可能に折り畳まれた最終形態を示す斜視図である。
【図２】同、（ａ）は側面図、（ｂ）は（ａ）におけるＡ―Ａ線断面図である。
【図３】第１実施形態の変形例１を示しており、（ａ）は要部拡大斜視図、（ｂ）は図２（ａ）のＡ―Ａ線に相当する位置での断面図である。
【図４】同、変形例２を示しており、（ａ）は展開した状態を示す平面図、（ｂ）は筆記可能に折り畳まれた最終形態を示す側面図である。
【図５】同、変形例３を示しており、（ａ）は展開した状態を示す平面図、（ｂ）は筆記可能に折り畳まれた最終形態を示す側面図である。
【図６】本発明の筆記具の第２実施形態における、（ａ）は展開した状態を示す平面図、（ｂ）は折り畳み工程のうち第１段階の、折り込み角部を折り込んで折り返し角部を折り返した状態を示す斜視図である。
【図７】同、（ａ）は筆記可能に折り畳まれた最終形態を示す側面図、（ｂ）は（ａ）におけるＢ―Ｂ線断面図、（ｃ）は（ａ）におけるＣ―Ｃ線断面図である。
【図８】第２実施形態の変形例を示しており、図６（ａ）のＣ―Ｃ線に相当する位置での断面図である。
【発明を実施するための形態】
【００１８】
以下、本発明にかかる筆記具の第１実施形態を図１ないし図２に基づき説明するが、これに限定されるものではない。
【００１９】
≪第１実施形態≫
図において、本発明の筆記具１０はホルダ部１１とペン本体１２からなっている。
なお便宜上、ホルダ部１１長手方向のうちペン本体１２が設けられている側を前方あるいは正面とし、左右は正面視で向かって左、向かって右の意であるとして以降の説明をおこなう。
【００２０】
前記筆記具１０のうちホルダ部１１は、硬質紙からなり平面視で矩形状に形成されている。硬質紙は種類を特に限定するものではないが、筆記の際の筆圧等に耐えうる強度などを勘案した場合、厚み０．５ミリ以上が望ましい。
【００２１】
このホルダ部１１には、短手方向略中央に長手方向に沿う平行な２本の折り曲げ線１１ａ・１１ａが設けられており、これによって底壁１４および左右の側壁１５・１５が形成されている。また、短手側前端縁の前記折り曲げ線１１ａ・１１ａよりも外側の位置からそれぞれの長手外側端縁に渡って斜め４５度の角度（前端縁に対して）を有する左右２本の折り込み線１１ｂ・１１ｂが設けられ、これによって左右の折り込み角部１６・１６がそれぞれ形成されている。
【００２２】
ペン本体１２は、一般的な鉛筆芯単体でできている。
【００２３】
このペン本体１２は、底壁１４の略中央部に、先端を底壁１４前端縁から筆記可能な長さ分だけ突出させ長手方向に沿った状態で取り付けられている。取り付け方法は特に問わず、接着剤による固着であってもよく、あるいは粘着テープ等による貼着であってもよい。
【００２４】
こうした構成をもつ本筆記具１０は、次のようにして組み立てられる。
【００２５】
まず、前記したいずれかの取り付け方法によってホルダ部１１の底壁１４中央にペン本体１２を固定する。なお、本願発明は主としてマークシート用の使い捨て簡易筆記具として使用されることを想定しているので、ペン本体１２はすぐに筆記できるようにあらかじめ先端部を尖らせておくことが望ましい。
【００２６】
次に、ホルダ部１１に形成されている左右の折り込み角部１６・１６を折り込み線１１ｂ・１１ｂの位置でそれぞれ内側に折り込み、図１（ｂ）の状態とする。
【００２７】
折り込み線は４５度の角度をもっているため、折り込まれた折り込み角部１６・１６の前端縁１６ａ・１６ａはペン本体１２の両側に反転移動して長手方向に沿った状態となる。
【００２８】
最後に、長手方向に沿って設けられている折り曲げ線１１ａ・１１ａの位置でホルダ部１１を折り曲げ、側壁１５・１５を立ち上げる。
【００２９】
これによって平坦な薄板状のホルダ部１１が正面視で略コ字形状へと変化し、筆圧に耐えうるだけの剛性が確保される。また、ペン本体１２は、側壁１５・１５によって挟持されるとともに上部に当接した折り込み角部１６・１６の前端縁１６ａ・１６ａによってしっかりと保持される。
【００３０】
本願発明は、このホルダ部１１が折り曲げられ筆記可能となった状態で市場に供せられることを想定しているが、その筆記可能状態を維持しておくためにはホルダ部１１の左右の側壁１５・１５の内壁同士を接着固定しておくことが望ましい。さらに、これに加えて折り込み角部１６も側壁１５に接着固定しておいてもよい。
【００３１】
また、筆記可能な状態ではなく、その１段階手前すなわち折り込み角部１６・１６が折り込まれ、側壁１５・１５は展開している状態のままにしておき、使用時に所有者が側壁１５・１５を折り曲げるようにしてもよい。このような状態にしておくことによって、左右側壁１５・１５に広告などの印刷を施しておきノベルティグッズとして配布するときなどに、印刷面が良く見え、折り曲げる際にも印刷面が目に入る、という効果がある。
【００３２】
さらにまた、接着ではなく左右側壁１５・１５にそれぞれ切欠きを設けることによって係止片を形成し、これらを係合することによって折り曲げ状態を維持するものであってもよく、ホチキス留めによるものであってもよい。
【００３３】
なお、ペン本体１２を取り付けるにあたっては、例えば接着剤を用いた場合、この接着剤が完全に固まっていない時に折り込み角部１６・１６を折り込んで側壁１５・１５を折り曲げるようにすれば、生乾き状態のペン本体１２が押しやられて移動するので、精密な位置合わせをおこなう必要なく所定の位置（底壁１４の中央部）に簡単に取り付けをおこなうことができる。
【００３４】
また、先にホルダ部１１を筆記可能な折り畳んだ状態にしておいてから接着剤を塗布したペン本体１２を差し込むようにしてもよい。
【００３５】
本発明によれば、ホルダ部１１を折り畳むことによってペン本体１２が四方を左右側壁１５・１５および折り込み角部前端縁１６ａ・１６ａと底壁１４とで囲い込まれる形態となるので、このように簡単かつ確実なペン本体の取り付け方が可能となっている。これが本発明の大きな利点でもある。
【００３６】
なお、各部位の寸法は適宜であるが、例えば底壁１４の幅方向の長さは、ペン本体１２の径寸法を２ミリとした場合、２ミリにわずかに満たない程度に設定しておくと、ホルダ部１１を握った際に立ち上げた側壁１５・１５がペン本体１２を強く挟み込んで保持力が高まるという利点が生じる。
【００３７】
また、側壁１５・１５の幅方向寸法（折り曲げて立ち上げた際の高さ）は、筆記するときに上縁に人差し指を添えることになることを考えるとあまり大きく取ることは好ましくなく、小さくとると強度が低下するとともに握りにくくなることも鑑みると８ミリから１６ミリ程度が好適といえる。なお、側壁１５・１５に長手方向に沿って溝条あるいは凸条形状のエンボス加工を施してもよい。こうすることで剛性が高まり、幅寸法をあまり大きく取る必要がなくなるという効果がある。
【００３８】
さらに、ホルダ部１１の長手方向寸法は、筆記可能状態のホルダ部１１を握ったときにこのホルダ部１１の後端が人差し指と親指との間で保持されていることが望ましいことなどの作業性を鑑みると、１００ミリ以上あることが好ましいがこれ以下であっても筆記可能な程度の長さがあれば特に問題はない。
【００３９】
図３は、第１実施形態の変形例１を示したもので、（ａ）は要部拡大斜視図、（ｂ）は図２の（ａ）に示すＡ―Ａ線に相当する位置での断面図である。  
ここではペン本体１３は、鉛筆芯１３ａと、これを保持する合成樹脂製のチューブ状ペンホルダ部１３ｂとからなり、鉛筆芯１３ａは後端部がペンホルダ部１３ｂに嵌め込まれて固定されたものとなっている。このような構成にすることによって、底壁１４の幅寸法を広くしたとしてもそれに合わせてペンホルダ部１３ｂの肉厚を増やしたり形状を幅広に変更することで側壁１５・１５に挟持されうるだけの幅寸法を有することが可能となり、よって底壁１４の幅寸法の設定の自由度が増すという利点が生じる。
【００４０】
図４ないし図５は、それぞれ第１実施形態の変形例２および変形例３を示したもので、（ａ）はホルダ部を展開した状態の平面図、（ｂ）は筆記可能な状態の側面図である。
【００４１】
図４での折り込み角部１７は、（ａ）の平面図に示すように前端縁１７ａと側縁１７ｂとのなす角度が鈍角に設定されており、筆記可能状態に折り曲げたときには（ｂ）の側面図に示すように折り込み角部の先端の広がり角を４５度よりも小さくすることができる。
【００４２】
図５での折り込み角部１８は、（ａ）の平面図に示すように前端縁１８ａと側縁１８ｂとのなす角度が鋭角に設定されており、筆記可能状態に折り曲げたときには（ｂ）の側面図に示すように折り込み角部の先端の広がり角を４５度よりも大きくすることができる。
【００４３】
このように本願発明では、折り込み角部の前端縁と側縁とのなす角度を変更することによって筆記具先端部の広がり角度を自由に設定することができる。なお、広がり角度を設定するためには前端縁と側縁とのなす角度を変更する以外にも例えば前端縁を一直線のものとせずに途中で角度を変えた屈曲線としてもよい。
【００４４】
≪第２実施形態≫
図６ないし図７は本発明にかかる筆記具の第２実施形態を示しており、図６の（ａ）はホルダ部を展開した状態を示す平面図、（ｂ）は折り畳み工程のうちの第１段階として折り込み角部が折り畳まれた状態を示す斜視図。図７の（ａ）は筆記可能な状態を示す側面図、（ｂ）は（ａ）におけるＢ―Ｂ線断面図、（ｃ）は（ａ）におけるＣ―Ｃ線断面図を示している。なお、基本構成としては第１実施形態と第２実施形態とは同一であるため同一箇所には同一符号を付して説明を省略し、異なる箇所のみを説明する。
【００４５】
この第２実施形態にかかる筆記具２０では、図６（ａ）に示すようにホルダ部２１の折り込み角部２６・２６からさらに折り返し線２６ａ・２６ａを介して折り返し角部２７・２７が、ホルダ部２１の片方の側壁１５からは第２折り曲げ線２１ａを介して補強壁２８がそれぞれ延設されており、図６（ｂ）に示すように折り畳み工程第１段階で折り込み角部２６・２６を折り込んだ後に折り返し角部２７・２７を外向きに折り返し、図７（ｃ）に示すように左右の折り曲げ線１１ａ・１１ａで側壁１５・１５を折り曲げた後に第２折り曲げ線２１ａで補強壁２８を折り曲げ、対向する側壁１５―すなわち図６（ｃ）における右側壁―の内側に重ねて合わせて接着している。
【００４６】
こうした構成をとることによって、さらにホルダ部の剛性とペン本体１２の保持力とを高めることができる。
【００４７】
なお、ここでは折り返し角部２７・２７の大きさを折り込み角部２６・２６の約半分程度のものとしているが、略同形のものとしてもよく、その場合はホルダ部２１の縦方向の剛性をさらに高めることができる。
【００４８】
図８は、第２実施形態の変形例を示しており、これでは左側壁１５から第１補強壁３０が延設されるとともに、右側壁１５からも天壁２４を介して第２補強壁３１が延設されている。そして、第２補強壁３１と左側壁１５とを重ね合わせて接着し、第１補強壁３０は内側で斜交いになるように折り込んだものとしている。本変形例は、このような斜交いを設けた構成にすることによって底壁１４と天壁２４とを有する筒体形状でありながら筆圧に耐えうる剛性を確保している。また、この変形例では天壁２４が形成されているので筆記時に握りやすいという利点もある。
【００４９】
以上説明したように、本発明によればホルダ部の剛性とペン本体の保持力を高くすることができ、しかも簡単に製造することができる。
【００５０】
なお、ホルダ部は平面視形状を矩形に限定するものではなく、例えば後端部の角を丸めたものであったり側端縁を緩やかな曲線形状とするなどしたものであってもよい。
【符号の説明】
【００５１】
１１、２１    ホルダ部
１２、１３    ペン本体
１４          底壁
１５          側壁
１６          折り込み角部
２７          折り返し角部